(57)【特許請求の範囲】
【請求項１】
番組コンテンツ及び番組情報が多重化された放送信号を受信する放送受信装置であって、
連続番組の検出条件として視聴時間の長さを設定する検出条件設定手段と、
受信された番組コンテンツおよび番組情報から、視聴時間が前記検出条件設定手段により設定された視聴時間の長さを満たす連続番組を検出する検出手段と、
前記検出手段により検出された連続番組に属する番組を抽出する抽出手段と、
前記抽出手段によって抽出された番組を、他の番組と表示態様を異ならせるように電子番組表を表示させる表示手段と、
を備えることを特徴とする放送受信装置。
【請求項２】
前記検出条件により検出された前記連続番組を識別する連続番組識別情報を記憶する記憶手段を備え、
前記抽出手段は、前記連続番組識別情報により前記連続番組に属する番組を抽出し、
前記電子番組表に表示された番組を選択する選択手段と、
前記記憶手段に記憶された前記連続番組識別情報により識別される連続番組の所定の視聴情報を記憶する視聴情報記憶手段と、
を備え、
前記表示手段は、前記選択手段により、前記連続番組に属する番組が選択された場合に、当該連続番組に関する所定の視聴情報を前記視聴情報記憶手段から抽出して前記表示部に表示させることを特徴とする請求項１に記載の放送受信装置。
【請求項３】
前記記憶手段により記憶された前記連続番組識別情報を、所定の消去条件に基づいて消去する消去手段と、
前記消去手段による前記連続番組識別情報の消去に関する当該所定の消去条件を設定する消去条件設定手段と、
を備えることを特徴とする請求項２に記載の放送受信装置。
【請求項４】
前記抽出手段により抽出された連続番組に属する番組の放送時間に基づく所定のタイミングで、当該番組の存在を報知する報知手段を備えることを特徴とする請求項１〜３の何れか一項に記載の放送受信装置。
【発明の詳細な説明】
【技術分野】
【０００１】
本発明は、電子番組表表示を行う放送受信装置に関する。
【背景技術】
【０００２】
テレビジョン番組には、連続ドラマやアニメ番組等、複数回に亘って連続して放送される連続番組が数多く存在する。視聴者は、このような連続番組を連続して視聴する場合に、途中の放送回を見逃してしまうと、次回以降の内容が理解出来なくなったり、不満を抱いて次回以降を視聴する意欲を失ってしまうことがあった。
【０００３】
そこで、例えば、特許文献１には、ユーザの設定したキーワードの条件に合う番組を自動的に録画する記録再生装置が開示されている。この記録再生装置では、自動的に録画されている連続番組を、ユーザが途中の放送回から視聴又は録画予約した際に、録画済みで且つ未視聴の連続番組をユーザに提示することができる。そのため、ユーザは、視聴叉は録画予約した番組の過去放送分が自動的に録画されていることを知って視聴することができ、連続番組の見逃しを防止することができる。
【特許文献１】特開２００５−３０２１１７号公報
【発明の開示】
【発明が解決しようとする課題】
【０００４】
しかしながら、上記特許文献１では、ユーザが後から視聴するか否かに関わらず、キーワードに合う全番組を予め自動的に録画するため、膨大な記録容量が必要となるという問題があった。
【０００５】
本発明の課題は、より簡易な構成で、連続番組の見逃しを防止することができる放送受信装置を提供することである。
【課題を解決するための手段】
【０００６】
上記課題を解決するため、請求項１に記載の発明は、番組コンテンツ及び番組情報が多重化された放送信号を受信する放送受信装置であって、
連続番組の検出条件として視聴時間の長さを設定する検出条件設定手段と、
受信された番組コンテンツおよび番組情報から、視聴時間が前記検出条件設定手段により設定された視聴時間の長さを満たす連続番組を検出する検出手段と、
前記検出手段により検出された連続番組に属する番組を抽出する抽出手段と、
前記抽出手段によって抽出された番組を、他の番組と表示態様を異ならせるように電子番組表を表示させる表示手段と、
を備えることを特徴とする。
【０００７】
請求項２に記載の発明は、請求項１に記載の放送受信装置において、
前記検出条件により検出された前記連続番組を識別する連続番組識別情報を記憶する記憶手段を備え、
前記抽出手段は、前記連続番組識別情報により前記連続番組に属する番組を抽出し、
前記電子番組表に表示された番組を選択する選択手段と、
前記記憶手段に記憶された前記連続番組識別情報により識別される連続番組の所定の視聴情報を記憶する視聴情報記憶手段と、
を備え、
前記表示手段は、前記選択手段により、前記連続番組に属する番組が選択された場合に、当該連続番組に関する所定の視聴情報を前記視聴情報記憶手段から抽出して前記表示部に表示させることを特徴とする。
【０００９】
請求項３に記載の発明は、請求項２に記載の放送受信装置において、前記記憶手段により記憶された前記連続番組識別情報を、所定の消去条件に基づいて消去する消去手段と、
前記消去手段による前記連続番組識別情報の消去に関する当該所定の消去条件を設定する消去条件設定手段と、
を備えることを特徴とする。
【００１０】
請求項４に記載の発明は、請求項１〜３の何れか一項に記載の放送受信装置において、前記抽出手段により抽出された連続番組に属する番組の放送時間に基づく所定のタイミングで、当該番組の存在を報知する報知手段を備えることを特徴とする。
【発明の効果】
【００１２】
本発明によれば、番組コンテンツ及び番組情報が多重化された放送信号を受信する放送受信装置において、検出条件設定手段により、連続番組の検出条件として視聴時間の長さが設定され、検出手段により、受信された番組コンテンツおよび番組情報から、視聴時間が前記検出条件設定手段により設定された視聴時間の長さを満たす連続番組が検出され、抽出手段により、検出手段により検出された連続番組に属する番組が抽出され、表示手段により、抽出手段によって抽出された番組が、他の番組と表示態様を異ならせるように電子番組表に表示される。
したがって、ユーザが、表示部に表示された電子番組表において、抽出された連続番組に属する番組を認識できることとなる。よって、より簡易な構成で、連続番組の見逃しを防止することができるデジタル放送受信装置を提供することができる。
【発明を実施するための最良の形態】
【００１３】
以下、本発明の実施の形態を、図面を参照しながら説明する。なお、本発明の範囲は、図示例に限定されない。
本実施形態では、デジタル放送受信装置として、例えば、地上デジタルテレビジョン放送、ＢＳデジタル放送、ＣＳデジタル放送等の放送信号を受信するテレビジョン受像機を例に説明する。
【００１４】
図１は、本実施形態におけるテレビジョン受像機１００の全体構成を例示する図である。
図１に示すように、本実施形態のテレビジョン受像機１００は、ユーザが各種指示を入力するためのリモコン装置１と、このリモコン装置１により遠隔操作される本体部２と、を備えて構成されている。
また、テレビジョン受像機１００には、録画機器２００がケーブルを介して接続されている。録画機器２００は、例えば、ＤＶＤ（Digital Versatile Disc）レコーダ、ＨＤ（Hard Disk）レコーダ、Ｄ−ＶＨＳ（Data Video Home System）ビデオデッキ等であり、テレビジョン受像機１００からケーブルを介して入力されるコンテンツデータを記録媒体に記録する。
【００１５】
図２は、リモコン装置１の平面図である。図２に示すように、リモコン装置１には、ユーザが本体部２に対して各種指示を入力するための複数の釦を備える操作部が設けられている。操作部に備わる複数の釦は、例えば、電源釦１ａ、各々に１〜１２の数字が割り当てられた１２個の数字釦１ｂ、メニュー釦１ｃ、ＥＰＧ（Electric Program Guide: 電子番組ガイド）表示釦１ｄ、リターン釦１ｅ、音声切換釦１ｆ、上下左右を指示するカーソル釦１ｇ、決定釦１ｈ、チャンネルアップ／ダウン釦１ｉ、ボリュームアップ／ダウン釦１ｊ等である。
【００１６】
リモコン装置１に備わるこれらの釦の各々には識別情報が割り当てられており、所定の記憶領域に記憶されている。このリモコン装置１において、ユーザにより釦の押下操作が行われると、操作された釦の識別情報が読み出されて、当該識別情報に対応するリモコン信号が生成される。生成されたリモコン信号は図示しない送信部から送信され、本体部２の前面パネル等に設けられたリモコン信号受光部３において受信される。
【００１７】
図３は、本実施形態におけるテレビジョン受像機１００の要部構成を例示するブロック図である。
図３に示すように、本体部２は、リモコン装置１からのリモコン信号を受信するリモコン信号受光部３、放送信号を受信するアンテナ４、アンテナ４により受信された放送信号から希望チャンネルの放送信号を選局する受信手段としてのチューナ５、チューナ５により選局された放送信号を復調する復調部６、復調部６により復調された放送信号を複数のデータに分離してデコードするデコーダ部７、デコーダ部７から入力される映像信号に対して所定の映像処理を行う映像処理部８、デコーダ部７から入力される音声信号に対して所定の音声処理を行う音声処理部９、映像処理部８により処理された映像信号にＯＳＤデータを付加するＯＳＤ回路１０、映像処理部８により処理された映像信号を出力する表示部１１、音声処理部９により処理された音声信号を出力する音声出力部１２、テレビジョン受像機１００全体を統括制御する制御部１３等を備えており、各部は制御バスにより接続されている。
【００１８】
リモコン信号受光部３は、例えば、図示は省略するが、フォトダイオード、ＳＵＢＣＰＵ、増幅部、復調部、デコーダ等を備えて構成されている。リモコン信号受光部３は、リモコン装置１から送信されたリモコン信号を、本体部２の前面パネル等に設けられたフォトダイオードにおいて受信すると、ＳＵＢＣＰＵの制御により、増幅部により増幅した後に復調部において復調し、さらに、デコーダにより波形整形、誤り訂正等の各種処理を行って、入力されたリモコン信号から識別情報を取得し、制御部１３に対して出力する。制御部１３は、リモコン信号受光部３から入力されるリモコン信号の識別情報に基づいて、リモコン装置１において操作された釦の判別を行い、操作に対応する制御を実行する。
【００１９】
アンテナ４は、例えば、地上デジタルアンテナ、ＢＳ・ＣＳパラボラアンテナ等であり、例えば、屋外において所定の方向に向けて配置され、高周波の放送信号を受信する。
【００２０】
チューナ５は、例えば、地上デジタル放送、ＢＳデジタル放送、ＣＳデジタル放送等の各放送種別に対応するチューナを備える。例えば、地上デジタルチューナは、地上デジタルアンテナにより入力された高周波の放送信号の中から、ＢＰＦ（バンドパスフィルタ）により特定周波数帯の信号を抽出して増幅し、局部発振器及びミキサにより周波数変換する。更に、ＢＰＦにより特定周波数帯の信号を抽出して、低周波信号に変換した後にＬＰＦ（ローパスフィルタ）を介してＡＤ変換等を行い、復調部６に出力する。また、例えば、ＢＳ・ＣＳチューナは、ＢＳ・ＣＳアンテナにより入力され、ＩＦ信号に変換された放送信号を増幅した後に、局部発振器及び２つのミキサにより所定の信号を生成する。そして、ＬＰＦを介して特定周波数帯の信号を取得した後に、ＡＤ変換等を行って復調部６に出力する。
【００２１】
復調部６は、例えば、地上デジタル放送、ＢＳデジタル放送、ＣＳデジタル放送等に対応する復調部を備え、制御部１３からの制御に基づいて、チューナ５において選局されたチャンネルの信号に対してデジタル復調や誤り訂正などの処理を実行し、ＴＳを生成して、分離部７１に出力する。
【００２２】
デコーダ部７は、例えば、分離部（Demultiplexer）７１、ビデオデコーダ７２、オーディオデコーダ７３、データデコーダ７４等を備えて構成されている。
分離部７１は、復調部６から入力されるＴＳをビデオデータ、オーディオデータ、ＰＳＩ（Program Specific Information:番組特定情報）、番組情報としてのＳＩ（Service Information: 番組配列情報）等の複数のストリームに分離する。
【００２３】
ここで、ＰＳＩは、ＴＳに含まれるサービス（編成チャンネル）とそのＰＭＴのＰＩＤ(Packet Identifier)に関する情報を記述するＰＡＴ（Program Association Table）、各サービスを構成するデータとそのＰＩＤに関する情報を記述するＰＭＴ（Program Map Table）、放送中のサービスに関する情報を記述するＮＩＴ（Network Information Table）、限定受信に関する情報を記述するＣＡＴ（Conditional Access Table）のテーブルである。ＰＳＩは、各パケットのＰＩＤに基づいて、ＴＳから、選局された番組の提供に必要なパケットを選択する際等に用いられる。
【００２４】
ＳＩは、サービスに関する情報を記述するＳＤＴ（Service Description Table）、番組（イベント）に関する情報を記述するＥＩＴ（Event Information Table）、現在の日付・時刻を記述するＴＯＴ（Time Offset Table）、放送事業者に関する情報を記述するＢＩＴ（Broadcaster Information Table）等の各種テーブルである。ＥＩＴのＥＩＴ scheduledには、現在放送中の番組及び８日以内に放送予定の番組に関する情報（例えば、タイトル、チャンネル、放送局、ジャンル、放送時刻としての放送開始時刻・放送終了時刻、出演者、番組内容等）が記述される。また、ＥＩＴには、連続番組に関する情報を記述するシリーズ識別子が含まれている。
ＳＩは、番組情報として、後述する電子番組表表示プログラム１３５ｇの実行において、表示部１１に電子番組表を表示する際に用いられる。また、ＥＩＴ内のシリーズ識別子は、連続番組の判別や、後述する電子番組表表示プログラム１３５ｇにおいて連続番組に関する所定の視聴情報を表示する際等に用いられる。
【００２５】
制御部１３は、ＰＳＩと各ＴＳパケットが有するＰＩＤに基づいて、必要なＴＳパケットを取得して、ＭＰＥＧ２（Moving Picture Experts Group 2）規格下のビデオストリームをビデオデコーダ７２に、オーディオストリームをオーディオデコーダ７３に、さらに、ＳＩから抽出した必要な番組情報をデータデコーダ７４に出力する。
【００２６】
ビデオデコーダ７２は、分離部７１から入力されたビデオストリームをデコードする。具体的には、ビデオデコーダ７２は、ビデオストリームに、可変長復号化、逆量子化、逆ＤＣＴ、動き補正等の各種処理を行うことで、ビデオストリームをＤＴＳ(Decoding Time Stamp)に応じたタイミングでデコードし、映像処理部８に出力する。
オーディオデコーダ７３は、分離部７１から入力されたオーディオストリームをデコードし、音声処理部９に出力する。
データデコーダ７４は、分離部７１から入力された番組情報、字幕データ、データ放送用データ等をデコードし、制御部１３、ＯＳＤ回路１０等に出力する。制御部１３に入力された番組情報は、ＥＰＧメモリ１３４ｂ（後述）に格納されることとなる。
【００２７】
映像処理部８は、入力される映像データに対して各種映像処理を施し、映像信号を生成する。生成された映像信号は、フレームメモリ（図示省略）に一旦格納された後に、ＰＴＳ(Presentation Time Stamp)に応じた再生タイミングで、表示部１１に出力される。
また、音声処理部９は、入力される音声データに対して各種音声処理を施して、音声信号を生成し、生成された音声信号をＰＴＳに応じた再生タイミングで、音声出力部１２に出力する。
ＯＳＤ回路１０は、電子番組表の表示に際して、ＥＰＧメモリ１３４ｂに格納された番組情報から必要なデータを読み出し、読み出したデータに基づいて電子番組表表示用データを生成する。そして、生成された電子番組表表示用データを、映像処理部８から出力される映像信号に合成させ、表示部１１において電子番組表等のＯＳＤ画面を表示させる。ＯＳＤ回路１０は、表示部１１に電子番組表を表示させる処理を実行することにより、後述する電子番組表表示プログラム１３５ｇとともに電子番組表表示手段を構成する。
【００２８】
表示部１１は、例えば、ＬＣＤ（Liquid Crystal Display）、ＰＤＰ（Plasma Display Panel）、有機ＥＬ(Electro Luminescence)ディスプレイ等の図示しないディスプレイを備え、映像処理部８から入力された映像信号に基づく映像をこのディスプレイに表示させる。
音声出力部１２は、例えば、図示しないスピーカ等を備え、音声処理部９から入力された音声信号に基づく音声を増幅して、スピーカから出力させる。
【００２９】
制御部１３は、ＣＰＵ（Central Processing Unit）１３１、ＳＴＣ(System Time Clock)等の計時部１３２、ＲＡＭ（Random Access Memory）１３３等の揮発性メモリ、ＥＥＰＲＯＭ（Electrically Erasable Programmable ROM）１３４、ＲＯＭ（Read Only Memory）１３５等の不揮発性メモリ等を備えて構成されている。
【００３０】
ＣＰＵ１３１は、本体部２の各部から入力された入力信号や、リモコン装置１における各種釦の押下操作によって入力されたリモコン信号等に応じて、ＲＯＭ１３５に格納された各種プログラムを実行するとともに、実行にかかるプログラムに基づいて本体部２の各部に出力信号を出力することにより、テレビジョン受像機１００の動作全般を統括制御する。
【００３１】
ＲＡＭ１３３は、ＣＰＵ１３１のワークエリアとして用いられ、ＣＰＵ１３１によって各種プログラムが実行される際に生じる処理結果や、入力されたデータ等を一時的に記憶する。
【００３２】
ＥＥＰＲＯＭ１３４は、例えば、設定メモリ１３４ａ、ＥＰＧメモリ１３４ｂ、連続番組メモリ１３４ｃ（記憶手段、視聴情報記憶手段）等を備える。
【００３３】
設定メモリ１３４ａは、例えば、後述する検出条件設定プログラム１３５ｂの実行において設定された検出条件や、後述する消去条件設定プログラム１３５ｅの実行において設定された消去条件等を記憶する。
【００３４】
ＥＰＧメモリ１３４ｂは、受信された放送信号から抽出された番組情報を記憶する。
【００３５】
連続番組メモリ１３４ｃは、例えば、後述する検出プログラム１３５ｃの実行により検出された連続番組を識別する連続番組識別情報を記憶する。また、連続番組メモリ１３４ｃは、この連続番組メモリ１３４ｃにおいて記憶されている連続番組識別情報により識別される連続番組に関する所定の視聴情報を記憶する。当該所定の視聴情報は、記憶された連続番組に属する番組の視聴・録画等が行われる度に更新され、連続番組の視聴・録画の履歴として用いられる。
【００３６】
ＲＯＭ１３５は、不揮発性メモリから成るプログラム格納エリアを有しており、具体的には、受信プログラム１３５ａ、検出条件設定プログラム１３５ｂ、検出プログラム１３５ｃ、記憶プログラム１３５ｄ、消去条件設定プログラム１３５ｅ、消去プログラム１３５ｆ、電子番組表表示プログラム１３５ｇ、選択プログラム１３５ｈ、報知プログラム１３５ｉ等を格納している。
【００３７】
受信プログラム１３５ａは、例えば、ＣＰＵ１３１に、番組コンテンツ及び番組情報が多重化された放送信号を受信する機能を実現させるためのプログラムである。
具体的には、ＣＰＵ１３１は、リモコン信号受光部３を介して入力されるリモコン信号に基づいて、リモコン装置１におけるユーザの指示操作を監視している。そして、リモコン装置１において、数字釦１ｂ・チャンネルアップ／ダウン釦１ｉ等によるチャンネル選局操作が行われると、ＣＰＵ１３１は、チューナ５に指示信号を出力して、アンテナ４に入力される放送信号から、選局されたチャンネルに対応付けられている周波数帯の放送信号を受信させる。
ＣＰＵ１３１は、かかる受信プログラム１３５ａを実行することにより、チューナ５とともに受信手段として機能する。
【００３８】
検出条件設定プログラム１３５ｂは、例えば、ＣＰＵ１３１に、検出プログラム１３５ｃ（後述）の実行により検出される連続番組の所定の検出条件を設定する機能を実現させるためのプログラムである。
具体的には、ＣＰＵ１３１は、表示部１１のメニュー画面等において、連続番組の検出条件を設定する検出条件設定処理の開始を指示する操作が行われると、図４に例示する検出条件設定画面を表示部１１にＯＳＤ表示させる。
図４の検出条件設定画面では、連続番組の検出条件を、「所定時間（例えば、５分間）以上の視聴」、「視聴予約」、「録画予約」「視聴予約又は録画予約」「設定された記憶ジャンル」の中から選択するようになっている。この画面上で、ユーザがリモコン装置１を用いて、設定する検出条件を選択すると、ＣＰＵ１３１は、選択された当該検出条件を設定メモリ１３４ａに記憶させ、検出条件を設定する。
ＣＰＵ１３１は、かかる検出条件設定プログラム１３５ｂを実行することにより、検出条件設定手段として機能する。
【００３９】
なお、連続番組の検出条件としての記憶ジャンルは、図５に例示する記憶ジャンル設定画面において、ユーザが別途設定できるようになっている。ＣＰＵ１３１は、「設定された記憶ジャンル」が検出条件として設定されると、この記憶ジャンル設定画面上で「番組記憶：入」とされたジャンル（例えば、スポーツ、バラエティ）を、検索条件として設定されたジャンルとする。
また、連続番組の検出条件としての視聴時間の長さは、ユーザが設定することができる。この視聴時間は、連続する時間に限られず、各番組の視聴時間の総計や、連続番組全体の視聴時間の総計であっても良い。
更に、設定可能な検出条件は、図４において例示した条件に限られず、例えば、「所定時間以上の録画」「録画及び所定時間以上の再生」等であっても良い。また、複数の検出条件を設定可能であっても良い。
【００４０】
検出プログラム１３５ｃは、例えば、ＣＰＵ１３１に、所定の検出条件に合致する連続番組を検出する機能を実現させるためのプログラムである。
具体的には、ＣＰＵ１３１は、前述の検出条件設定プログラム１３５ｂの実行においてユーザにより設定され、設定メモリ１３４ａに記憶された検出条件に合致する連続番組を検出する。連続番組であるか否かの判別は、放送信号から抽出された番組情報内のシリーズ識別子を解析して行う。
例えば、「５分間以上の視聴」が検出条件として設定されている場合、ＣＰＵ１３１は、視聴される各番組が、連続番組であるか否かを判別し、連続番組であると判別した各番組の視聴時間をカウントする。そして、５分間以上視聴された番組がある場合に、この番組を、検出条件に合致する連続番組であると判断する。
ＣＰＵ１３１は、かかる検出プログラム１３５ｃを実行することにより、検出手段として機能する。
【００４１】
記憶プログラム１３５ｄは、例えば、ＣＰＵ１３１に、検出プログラム１３５ｃの実行により検出された連続番組を識別する連続番組識別情報を記憶する機能を実現させるためのプログラムである。また、記憶プログラム１３５ｄは、例えば、当該記憶プログラム１３５ｄの実行により記憶された連続番組識別情報により識別される連続番組の所定の視聴情報を記憶する機能をＣＰＵ１３１に実現させる。
具体的には、ＣＰＵ１３１は、前述の検出プログラム１３５ｃの実行により、検出条件に合致する連続番組が検出されると、検出された連続番組の連続番組識別情報を、連続番組メモリ１３４ｃに記憶させる。連続番組メモリ１３４ｃに記憶される連続番組識別情報は、例えば、放送信号から抽出された番組情報から抽出した連続番組の名称や、チャンネル番号、放送局、シリーズ識別子に含まれる識別情報等である。また、ＣＰＵ１３１は、この連続番組メモリ１３４ｃに記憶された各連続番組に関する所定の視聴情報（例えば、全放送回数（話数）、本テレビジョン受像機１００における視聴回数、前回視聴時間、前回録画時間等）を記憶する。
また、連続番組メモリ１３４ｃに記憶可能な連続番組の数は、予め定められている。ＣＰＵ１３１は、記憶プログラム１３５ｄの実行により、検索条件に合致する連続番組を連続番組メモリ１３４ｃに記憶する際に、連続番組メモリ１３４ｃに記憶済みの番組数が、予め定められた記憶可能な最大番組数（例えば、１０つ）を超えている場合、消去プログラム１３５ｆ（後述）を実行して、消去条件設定プログラム１３５ｅ（後述）の実行により設定された消去条件に合致する連続番組を消去する。なお、連続番組メモリ１３４ｃに記憶可能な連続番組の数は、メニュー画面上でユーザが設定できる。
ＣＰＵ１３１は、かかる記憶プログラム１３５ｄを実行することにより、連続番組メモリ１３４ｃとともに記憶手段として機能する。
【００４２】
消去条件設定プログラム１３５ｅは、例えば、ＣＰＵ１３１に、消去プログラム１３５ｆ（後述）による連続番組識別情報の消去に関する所定の消去条件を設定する機能を実現させるためのプログラムである。
具体的には、ＣＰＵ１３１は、表示部１１のメニュー画面等において、連続番組メモリ１３４ｃに記憶された連続番組識別情報の消去条件を設定する消去条件設定処理の開始を指示する操作が行われると、図６に例示する消去条件設定画面を表示部１１にＯＳＤ表示させる。
図６の消去条件設定画面では、連続番組メモリ１３４ｃに記憶された連続番組識別情報の消去条件を、「最初に記憶した連続番組」（FIFO: First-In First-Out方式）、「最後に記憶した連続番組」（LIFO: Last-In First-Out方式）、「新しく記憶する連続番組」「視聴時間及び録画時間が最短の連続番組」「一覧から選択」の中から選択するようになっている。この画面上で、ユーザがリモコン装置１を用いて設定する消去条件を選択すると、ＣＰＵ１３１は、当該検出条件を設定メモリ１３４ａに記憶させ、消去条件を設定する。
ＣＰＵ１３１は、かかる消去条件設定プログラム１３５ｅを実行することにより、消去条件設定手段として機能する。
【００４３】
消去プログラム１３５ｆは、例えば、ＣＰＵ１３１に、記憶プログラム１３５ｄの実行により記憶された連続番組識別情報を、所定の消去条件に基づいて消去する機能を実現させるためのプログラムである。
具体的には、ＣＰＵ１３１は、前述の記憶プログラム１３５ｄの実行により、検索条件に合致する連続番組を連続番組メモリ１３４ｃに記憶する際に、連続番組メモリ１３４ｃに記憶済みの番組数が、予め定められた記憶可能な最大番組数（例えば、１０つ）を超えているか否かを判断する。そして、連続番組メモリ１３４ｃに記憶済みの番組数が、予め定められた記憶可能な最大番組数を超えていると判断した場合、連続番組メモリ１３４ｃに記憶された連続番組識別情報のうち、前述の消去条件設定プログラム１３５ｅ（後述）の実行により設定された消去条件に合致する連続番組の連続番組識別情報を消去する。また、ＣＰＵ１３１は、連続番組メモリ１３４ｃに記憶された連続番組のうち、最終回が終了した連続番組の連続番組識別情報を連続番組メモリ１３４ｃから消去する。
【００４４】
また、例えば、図６の消去条件設定画面において、連続番組識別情報の検出条件として、「一覧から選択」が設定された場合や、「新しく記憶する連続番組」が記憶された場合、ＣＰＵ１３１は、消去プログラム１３５ｆの実行に際して、連続番組メモリ１３４ｃに記憶済みの番組数が記憶可能な最大番組数を超えていると判断すると、図７に例示する消去番組選択画面を表示部１１にＯＳＤ表示させる。図７の消去番組選択画面では、連続番組メモリ１３４ｃに記憶されている連続番組に関する情報（例えば、連続番組の名称、チャンネル、放送局）等が一覧表示されており、ユーザがリモコン装置１を用いて、これらの一覧の中から消去したい所望の連続番組を選択する。さらに、この消去番組選択画面では、新しく記憶する未記憶の連続番組の情報が、未だ記憶されていないことを示す所定のマークとともに表示されており、当該未記憶の連続番組を消去することもできる。図７の消去条件選択画面において、ユーザがリモコン装置１を用いて、消去する連続番組を選択すると、ＣＰＵ１３１は、例えば、図８に例示する消去許可画面をＯＳＤ表示して、当該消去許可画面において、選択された連続番組を消去する旨をユーザに確認する。
【００４５】
さらに、ＣＰＵ１３１は、連続番組メモリ１３４ｃから、連続番組識別情報を消去すると、図９に例示するように、当該連続番組識別情報を消去した旨を報知する画面を表示部１１にＯＳＤ表示させる。
なお、ＣＰＵ１３１は、図７の消去番組選択画面の表示に際して、図１０に例示する画面をＯＳＤ表示し、消去番組選択画面を表示するか否かをユーザに選択させても良い。
ＣＰＵ１３１は、かかる消去プログラム１３５ｆを実行することにより、消去手段として機能する。
【００４６】
電子番組表表示プログラム１３５ｇは、例えば、ＣＰＵ１３１に、番組情報に基づいて、表示部１１に電子番組表を表示させる機能を実現させるためのプログラムである。また、電子番組表表示プログラム１３５ｇは、表示部１１に表示させた電子番組表において、記憶プログラム１３５ｄの実行により記憶された連続番組識別情報により識別される連続番組に属する番組と他の番組とが識別可能なように、当該連続番組に属する番組の表示態様を、他の番組の表示態様と異ならせる機能をＣＰＵ１３１に実現させる。さらに、電子番組表表示プログラム１３５ｇは、選択プログラム１３５ｈ（後述）の実行により、記憶プログラム１３５ｄの実行により記憶された連続番組識別情報により識別される連続番組に属する番組が選択された場合に、連続番組に関する所定の視聴情報を連続番組メモリ１３４ｃから抽出して表示部１１に表示させる機能をＣＰＵ１３１に実現させる。
ＣＰＵ１３１は、かかる電子番組表表示プログラム１３５ｇを実行することにより、電子番組表表示手段として機能する。
【００４７】
選択プログラム１３５ｈは、例えば、ＣＰＵ１３１に、電子番組表に表示された番組を選択する機能を実現させるためのプログラムである。
ＣＰＵ１３１は、かかる選択プログラム１３５ｈを実行することにより、リモコン装置１とともに選択手段として機能する。
【００４８】
ここで、図１１〜図１３を参照しながら、電子番組表表示プログラム１３５ｇ及び選択プログラム１３５ｈによる処理について具体的に説明する。
【００４９】
ユーザは、リモコン装置１のＥＰＧ表示釦１ｄを操作して、電子番組表の表示を指示する。ＣＰＵ１３１は、リモコン装置１においてＥＰＧ表示釦１ｄが操作された旨を検出すると、チューナ５において受信される放送信号から抽出し、ＥＰＧメモリ１３４ｂに記憶させた番組情報に基づいて、表示部１１に電子番組表を表示させる。
図１１及び図１２は、電子番組表表示プログラム１３５ｇの実行において、表示部１１に表示される電子番組表を例示する図である。特に、図１１は、表示に係る番組に、連続番組メモリ１３４ｃに記憶された連続番組識別情報により識別される連続番組に属する番組が存在する場合に表示される電子番組表である。また、図１２は、表示に係る番組に、連続番組メモリ１３４ｃに記憶された連続番組識別情報により識別される連続番組に属する番組が存在しない場合に表示される電子番組表である。
図１１及び図１２に示すように、電子番組表は、例えば、横方向をチャンネル軸、縦方向を時間軸として、各番組に対応する番組セルが、放送開始時刻順に配列されて成る。番組セルには、対応する番組に関する所定の情報（例えば、タイトル、放送開始時刻、放送回等）が格納されており、各番組セルの縦方向の長さは、放送時間の長さに応じて可変となっている。番組セル内に格納し切れない情報は省略され、所定の省略記号により、省略されている旨が示されている。
また、一の番組セル上には、その番組セルを指定するためのフォーカスＦが表示され、リモコン装置１のカーソル釦１ｇの操作により、上下左右方向に自在に移動させて所望の番組セルを指定することができる。フォーカスＦが移動することにより指定された番組セルの番組に関する情報は、番組セルから成る番組情報領域Ｓとは別に設けられた指定番組情報領域Ｄに別途表示される。
【００５０】
また、表示部１１に表示された電子番組表において、連続番組メモリ１３４ｃに記憶された連続番組に属する番組の番組セルが存在する場合には、図１１に示すように、その番組セルが網掛け等により強調表示され、他番組の番組セルの表示態様とは異なる表示態様で表示される。一方、表示部１１に表示された上記電子番組表に、連続番組メモリ１３４ｃに記憶された連続番組に属する番組の番組セルが存在しない場合には、図１２に示すように、全ての番組セルが同じ態様で表示されることとなる。
なお、連続番組メモリ１３４ｃに記憶された連続番組に属する番組は、網掛け等の強調表示により他の番組と識別可能である場合に限られず、番組セルの背景色、文字色・文字種・文字サイズ等の表示態様が他の番組の表示態様と異なることにより、他の番組と識別可能であっても良い。
また、図示は省略するが、一つの電子番組表上に２つ以上の異なる連続番組に属する複数の番組が存在する場合には、それぞれの連続番組の番組を、異なる態様で互いに区別して表示させても良い。
【００５１】
さらに、図１１の電子番組表において、ユーザが、リモコン装置１のカーソル釦１ｇを操作して、網掛け等により強調表示された番組セル（即ち、連続番組メモリ１３４ｃに記憶された連続番組に属する番組の番組セル）にフォーカスＦを移動させ、決定釦１ｈを押下することにより選択した場合、ＣＰＵ１３１は、選択された番組に関する所定の視聴情報を連続番組メモリ１３４ｃから読み出し、図１３に示すように、選択された番組の番組セルの隣にポップアップ表示させる。ポップアップセルＰには、例えば、ユーザにより選択された、連続番組に属する番組に関する所定の視聴情報として、例えば、放送回数（話数）、視聴回数、前回視聴時間、前回録画時間等が表示されている。当該所定の視聴情報は、連続番組メモリ１３４ｃに蓄積された視聴・録画等の履歴から抽出される。
図１３の電子番組表では、連続番組である「レチンさんの事件簿（連続番組のタイトル）」の第５話の番組がフォーカスＦにより選択されており、その連続番組の全放送回数（話数）が「４回」、その連続番組の当該テレビジョン受像機１００における視聴回数が「３回」、前放送回の視聴時間が「１時間５１分２２秒」、前放送回の録画時間が「０秒」である旨がポップアップセルＰに表示されている。
なお、選択された連続番組の番組と対応づけられて表示される上記所定の視聴情報は、放送回数、視聴回数、前回視聴時間、前回録画時間に限られない。例えば、その連続番組の視聴時間の総計、録画時間の総計、視聴済み／未視聴の放送回（例えば、第１話、第３話）、各放送回における録画の有無（例えば、第１話・第４話が録画済みであり、第２話・第３話が録画されていない等）、録画済み且つ未視聴の放送回（例えば、第４話）等であっても良い。また、所定の視聴情報の表示態様は、ポップアップ表示に限られず、例えば、番組セルが配列されて成る番組情報領域Ｓとは別に予め設けられた視聴情報表示領域における表示であっても良い。
【００５２】
報知プログラム１３５ｉは、例えば、ＣＰＵ１３１に、連続番組メモリ１３４ｃに記憶された連続番組識別情報により識別される連続番組に属する番組の放送時間に基づく所定のタイミングで、当該番組の存在を報知する機能を実現させるためのプログラムである。
具体的には、ＣＰＵ１３１は、計時部１３２において計時される現在時刻が、連続番組メモリ１３４ｃに記憶されている連続番組に属する番組の、放送開始時刻の前後所定時間の時間帯（例えば、放送開始５分前から放送開始１０分後の時間帯）に含まれるか否かを判断している。そして、現在時刻が連続番組メモリ１３４ｃに記憶されている連続番組に属する番組の、放送開始時刻の前後所定時間の時間帯に含まれる間、ＣＰＵ１３１は、図１４に示すように、表示部１１に、連続番組メモリ１３４ｃにより記憶された連続番組の放送が開始する、又は、放送中である旨を報知するためのマークを表示させる。
ＣＰＵ１３１は、かかる報知プログラム１３５ｉを実行することにより、報知手段として機能する。
【００５３】
なお、連続番組メモリ１３４ｃに記憶された連続番組に属する番組の存在を報知するための方法は、上述した表示部１１における報知方法に限られず、例えば、本体部２の前面部に設けられたＬＥＤランプを点灯させる方法を採用しても良い。また、例えば、音声ガイダンスやブザー音等の音声による報知であっても良い。
また、連続番組に属する番組の存在を報知するタイミングは、放送開始時刻の前後所定時間の時間帯に限られず、例えば、放送開始時刻を始点とする時間帯、放送開始時刻を終点とする時間帯であっても良い。また、各番組の放送時間の長さに応じて可変であっても良い。即ち、例えば、放送時間の長さの４分の１を、放送開始時刻からの報知時間の長さとする場合、１時間番組については放送開始時刻から１５分間報知を行い、２時間番組については放送開始時刻から３０分間報知を行うこととしても良い。さらに、ユーザが、報知を行う時間帯（放送時間に基づく所定のタイミング）を設定可能であっても良い。
【００５４】
また、例えば、過去に連続番組メモリ１３４ｃに記憶し、その後消去したことのある連続番組に関しては、検出条件に合致することとなった場合であっても再び連続番組メモリ１３４ｃに記憶させない設定が可能であっても良い。このような番組について、再記憶を設定するか否か（即ち、再び連続番組メモリ１３４ｃに記憶させるか否か）は、図１５に例示する再記憶設定画面において設定することができる。図１５に例示する再記憶設定画面において、ユーザが再記憶の設定を「入」とした場合、ＣＰＵ１３１は、連続番組メモリ１３４ｃに記憶された後に消去された連続番組について、その番組を識別するための情報を図示しない所定の記憶領域に記憶する。そして、検出条件に合致する連続番組が、連続番組メモリ１３４ｃに記憶した後に消去したことのある連続番組であるか否かを判断し、検出条件に合致した連続番組が過去に消去したことのある連続番組である場合には、検索条件に合致した場合であってもその連続番組識別情報を連続番組メモリ１３４ｃに記憶させないようにする。また、検出条件に合致した連続番組が過去に消去したことのある連続番組である場合に（又は、検出条件に合致した連続番組が過去に消去したことのある連続番組でない場合に）、図１６に例示する画面を表示部１１に表示させ、検出条件に合致した連続番組が過去に消去した連続番組である場合に、その連続番組識別情報を連続番組メモリ１３４ｃに記憶させるか否かをユーザに選択させても良い。
この構成によれば、設定された消去条件にしたがって、過去に連続番組メモリ１３４ｃから消去した連続番組が、再び連続番組メモリ１３４ｃに記憶されることがなくなるため、より高い確率で、ユーザが視聴する可能性の高い連続番組のみが連続番組メモリ１３４ｃに記憶されることとなり、テレビジョン受像機１００の使い勝手が向上する。
【００５５】
次に、図１７のフローチャートを参照しながら、本実施形態において行われる連続番組記憶処理及び連続番組消去処理について説明する。
まず、ＣＰＵ１３１は、ステップＳ１において、放送信号から抽出された番組情報内のシリーズ識別子に基づいて、対象となる番組が連続番組であるか否かを判別する。ＣＰＵ１３１は、ステップＳ１において、連続番組である場合と判別すると（ステップＳ１：Ｙｅｓ）、ステップＳ２において、その連続番組が、ユーザにより設定され、設定メモリ１３４ａに記憶された検出条件に合致するか否かを判断する。ＣＰＵ１３１は、ステップＳ２において、検出条件に合致すると判断すると（ステップＳ２；Ｙｅｓ）、ステップＳ３に進む。
ステップＳ３において、ＣＰＵ１３１は、所定の記憶領域に記憶された情報に基づいて、検出条件に合致する連続番組が、過去に連続番組メモリ１３４ｃに記憶し、その後消去した連続番組であるか否かを判断する。ＣＰＵ１３１は、検出条件に合致する連続番組が、過去に連続番組メモリ１３４ｃに記憶し、その後消去した連続番組であると判断すると（ステップＳ３；Ｙｅｓ）、ステップＳ４に進み、一方、検出条件に合致する連続番組が、過去に連続番組メモリ１３４ｃに記憶し、その後消去した連続番組でないと判断すると（ステップＳ３；Ｎｏ）、ステップＳ５に進む。
ステップＳ４において、ＣＰＵ１３１は、表示部１１に表示させた画面において、その番組を連続番組メモリ１３４ｃに記憶させる旨の指示がなされたか否かを判断する。ＣＰＵ１３１は、ステップＳ４において、その番組を記憶させる旨の指示がなされたと判断すると（ステップＳ４；Ｙｅｓ）、ステップＳ５に進み、その番組を記憶させる旨の指示がなされないと判断すると（ステップＳ４；Ｎｏ）、本処理を終了する。
【００５６】
次に、ステップＳ５において、ＣＰＵ１３１は、連続番組メモリ１３４ｃに記憶された連続番組の番組数が、予め定められた連続番組メモリ１３４ｃに記憶可能な番組数の上限を超えたか否かを判断する。ＣＰＵ１３１は、ステップＳ５において、記憶可能な数の上限を超えたと判断すると（ステップＳ５；Ｙｅｓ）、ステップＳ６に進み、記憶可能な数の上限を超えていないと判断すると（ステップＳ５；Ｎｏ）、ステップＳ７に進む。
ステップＳ６において、ＣＰＵ１３１は、連続番組メモリ１３４ｃから、予め定められた消去条件に従って、一の連続番組に関する連続番組識別情報を消去する。
ステップＳ７において、ＣＰＵ１３１は、検出条件に合致した連続番組に属する番組の番組識別情報を連続番組メモリ１３４ｃに記憶させ、本処理を終了する。
【００５７】
次に、図１８のフローチャートを参照しながら、本実施形態において行われる電子番組表表示処理について説明する。
まず、ステップＳ１１において、ＣＰＵ１３１は、リモコン装置１において、電子番組表を表示する旨の操作がなされたか否かを判断する。ＣＰＵ１３１は、ステップＳ１１において、電子番組表を表示する旨の操作がなされたと判断すると（ステップＳ１１；Ｙｅｓ）、ステップＳ１２において、チューナ５において受信される放送信号から抽出し、ＥＰＧメモリ１３４ｂに記憶させた番組情報に基づいて、対応するチャンネル及び時間帯の番組に関する所定の情報を番組セルに格納するとともに、これらの番組セルが放送開始時刻順に配列されて成る電子番組表を作成して、表示部１１に表示させる。また、ＣＰＵ１３１は、電子番組表の表示に際して、連続番組メモリ１３４ｃを参照し、表示に係る番組に、連続番組メモリ１３４ｃに記憶された連続番組識別情報により識別される連続番組に属する番組が存在する場合、当該番組の番組セルを強調表示等により他の番組と区別して表示させる。
ステップＳ１３において、ＣＰＵ１３１は、リモコン装置１により、表示部１１の電子番組表において、連続番組メモリ１３４ｃに記憶された連続番組識別情報により識別される連続番組に属する番組が選択されたか否かを判断する。ＣＰＵ１３１は、ステップＳ１３において、連続番組メモリ１３４ｃに記憶された連続番組識別情報により識別される連続番組に属する番組が選択されたと判断すると（ステップＳ１３；Ｙｅｓ）、ステップＳ１４において、当該連続番組の所定の視聴情報を連続番組メモリ１３４ｃから抽出し、ポップアップ表示等の方法で表示部１１に表示させる。以上で、本処理が終了する。
【００５８】
以上説明した本実施形態におけるテレビジョン受像機１００（デジタル放送受信装置）によれば、ＣＰＵ１３１による受信プログラム１３５ａ（受信手段）の実行により、番組コンテンツ及び番組情報が多重化された放送信号が受信され、検出プログラム１３５ｃ（検出手段）の実行により、所定の検出条件に合致する連続番組が検出され、検出条件設定プログラム１３５ｂ（検出条件設定手段）の実行により、検出プログラム１３５ｃ（検出手段）の実行により検出される連続番組の所定の検出条件が設定され、記憶プログラム１３５ｄ（記憶手段）の実行により、検出プログラム１３５ｃ（検出手段）の実行により検出された連続番組を識別する連続番組識別情報が連続番組メモリ１３４ｃ（記憶手段）に記憶され、消去プログラム１３５ｆ（消去手段）の実行により、連続番組メモリ１３４ｃ（記憶手段）に記憶された連続番組識別情報が、所定の消去条件に基づいて消去され、消去条件設定プログラム１３５ｅ（消去条件設定手段）の実行により、消去プログラム１３５ｆ（消去手段）による連続番組識別情報の消去に関する当該所定の消去条件が設定され、電子番組表表示プログラム１３５ｇ（電子番組表表示手段）の実行により、番組情報に基づいて、表示部１１に電子番組表が表示され、選択プログラム１３５ｈ（選択手段）の実行により、電子番組表に表示された番組が選択され、報知プログラム１３５ｉ（報知手段）の実行により、連続番組メモリ１３４ｃに記憶された連続番組識別情報により識別される連続番組に属する番組の放送時間に基づく所定のタイミングで、当該番組の存在が報知され、記憶プログラム１３５ｄ（視聴情報記憶手段）の実行により、連続番組メモリ１３４ｃ（記憶手段）に記憶された連続番組識別情報により識別される連続番組の所定の視聴情報が連続番組メモリ１３４ｃ（視聴情報記憶手段）に記憶される。また、電子番組表表示プログラム１３５ｇ（電子番組表表示手段）の実行により、表示部１１に表示させた電子番組表において、連続番組メモリ１３４ｃ（記憶手段）に記憶された連続番組識別情報により識別される連続番組に属する番組と他の番組とが識別可能なように、当該連続番組に属する番組の表示態様が、他の番組の表示態様と異ならせられ、選択プログラム１３５ｈ（選択手段）の実行により、連続番組メモリ１３４ｃに記憶された連続番組識別情報により識別される連続番組に属する番組が選択された場合に、当該連続番組に関する所定の視聴情報が連続番組メモリ１３４ｃ（視聴情報記憶手段）から抽出されて表示される。
したがって、所定の検出条件に合致する連続番組の連続番組識別情報を記憶手段により記憶するだけで、ユーザが、表示部１１に表示された電子番組表において、所定の検出条件に合致して記憶手段により記憶された連続番組に属する番組を認識できることとなる。よって、より簡易な構成で、連続番組の見逃しを防止することができるデジタル放送受信装置を提供することができる。
【００５９】
具体的には、記憶手段により、所定の検出条件に合致する連続番組に属する番組を識別する連続番組識別情報が記憶されるため、全ての連続番組の番組コンテンツ自体を記録する場合と比較して、必要な記憶処理及び記録容量が少なくなる。また、ユーザは、表示部１１に表示された電子番組表において、所定の検出条件に合致する連続番組のみを一目で容易に認識することができるため、当該連続番組の見逃しが防止されることとなる。
したがって、所定の検出条件に合致する連続番組の連続番組識別情報を記憶するだけで連続番組の見逃しを防止することができ、デジタル放送受信装置において、より簡易な構成で、連続番組の見逃しを防止することが可能となる。
【００６０】
また、選択プログラム１３５ｈの実行により、電子番組表に表示された番組が選択され、記憶プログラム１３５ｄの実行により、連続番組メモリ１３４ｃに記憶された連続番組識別情報により識別される連続番組の所定の視聴情報が記憶される。そして、電子番組表表示１３５ｇの実行により、選択プログラム１３５ｈの実行により、連続番組メモリ１３４ｃに記憶された連続番組識別情報により識別される連続番組に属する番組が選択された場合に、当該連続番組に関する所定の視聴情報が連続番組メモリ１３４ｃから抽出されて表示部１１に表示される。
したがって、ユーザは、表示部１１に表示された電子番組表において、検出条件に合致して記憶手段により記憶された連続番組に属する番組を選択することにより、その連続番組に関する所定の視聴情報を容易に把握することができる。
また、電子番組表表示手段により、電子番組表において、検出条件に合致して記憶手段により記憶された連続番組に属する番組が、他の番組の表示態様と異なる表示態様で表示されるため、ユーザは当該番組を容易に認識して、選択手段により選択することができる。したがって、ユーザは、検出条件に合致して記憶手段により記憶された連続番組の所定の視聴情報を、非常に容易に把握することができる。
【００６１】
また、検出条件設定プログラム１３５ｂの実行により、検出プログラム１３５ｃの実行により検出される連続番組の所定の検出条件が設定される。
即ち、ユーザが視聴する可能性の高い連続番組を検出するための検出条件を設定することにより、ユーザの希望に合った連続番組を検出して記憶することができる。したがって、ユーザが視聴する可能性の高い連続番組のみを記憶することが可能となり、デジタル放送受信装置の使い勝手が向上することとなる。
【００６２】
また、消去プログラム１３５ｆの実行により、記憶プログラム１３５ｄの実行により記憶された連続番組識別情報が、所定の消去条件に基づいて消去され、消去条件設定プログラム１３５ｅの実行により、消去プログラム１３５ｆの実行による連続番組識別情報の消去に関する所定の消去条件が設定される。
即ち、ユーザが視聴する可能性の低い連続番組を消去するための消去条件を設定することにより、ユーザの希望から外れる可能性の高い連続番組を記憶手段から消去することができる。したがって、ユーザが視聴する可能性の低い番組を消去して、ユーザが視聴する可能性のより高い連続番組のみを記憶することが可能となり、デジタル放送受信装置の使い勝手が更に向上することとなる。
【００６３】
更に、報知プログラムの実行により、連続番組メモリ１３４ｃに記憶された連続番組識別情報により識別される連続番組に属する番組の放送時間に基づく所定のタイミングで、当該番組の存在が報知される。
即ち、ユーザは、記憶手段により記憶された連続番組に属する番組の存在を、その番組の放送時間に基づく所定のタイミングで認識することができる。したがって、その番組の放送時間前又は放送時間中に報知を行うことにより、より確実に、連続番組の見逃しを防止することができる。
【００６４】
なお、本発明の範囲は、上記実施形態に限られることなく、本発明の趣旨を逸脱しない範囲において、種々の改良並びに設計の変更を行っても良い。
例えば、本実施形態では、放送受信装置として、テレビジョン受像機１００を取り上げて説明したが、例えば、ＳＴＢ(Set Top Box)等であっても良い。また、本実施形態のテレビジョン受像機１００では、本体部２に接続された記録装置において番組コンテンツを記録可能な構成について説明したが、例えば、テレビジョン受像機１００に内蔵されたＨＤ等の記録媒体に番組コンテンツを記録可能であっても良い。また、番組コンテンツの記録を行わない構成であっても良い。
また、連続番組メモリ１３４ｃに記憶した連続番組を編集するため手段が備わっていても良い。これにより、ユーザは、任意のタイミングで連続番組メモリ１３４ｃから所望の番組を消去・追加等し、連続番組メモリ１３４ｃを編集することができる。
また、視聴情報記憶手段により記憶される所定の視聴情報の記憶領域は、連続番組識別情報の記憶領域（連続番組メモリ１３４ｃ）と異なる領域であっても良く、検出条件に合致しない他の番組の視聴情報とともに記憶されていても良い。
【図面の簡単な説明】
【００６５】
【図１】本実施形態におけるテレビジョン受像機の全体構成を示す図である。
【図２】リモコン装置の平面図である。
【図３】本実施形態におけるテレビジョン受像機の要部構成を例示するブロック図である。
【図４】検出条件設定画面を例示する図である。
【図５】記憶ジャンル設定画面を例示する図である。
【図６】消去条件設定画面を例示する図である。
【図７】消去番組選択画面を例示する図である。
【図８】消去許可画面を例示する図である。
【図９】連続番組識別情報を消去した旨を報知する画面を例示する図である。
【図１０】消去番組選択画面を表示するか否かをユーザに選択させるための画面を例示する図である。
【図１１】電子番組表を例示する図である。
【図１２】電子番組表を例示する図である。
【図１３】電子番組表を例示する図である。
【図１４】連続番組メモリに記憶された連続番組識別情報により識別される連続番組に属する番組の存在を報知するための表示部上の表示を例示する図である。
【図１５】再記憶設定画面を例示する図である。
【図１６】検出条件に合致した連続番組を再度連続番組メモリに記憶させるか否かをユーザに選択させるための画面を例示する図である。
【図１７】連続番組記憶処理及び連続番組消去処理を示すフローチャートである。
【図１８】電子番組表表示処理を示すフローチャートである。
【符号の説明】
【００６６】
１００      テレビジョン受像機（デジタル放送受信装置）
１          リモコン装置（選択手段）
５          チューナ（受信手段）
１３１      ＣＰＵ（受信手段、検出条件設定手段、検出手段、記憶手段、消去条件設定手段、消去手段、電子番組表表示手段、選択手段、視聴情報記憶手段、報知手段）
１３４ｃ    連続番組メモリ（記憶手段、視聴情報記憶手段）
１３５ａ    受信プログラム（受信手段）
１３５ｂ    検出条件設定プログラム（検出条件設定手段）
１３５ｃ    検出プログラム（検出手段）
１３５ｄ    記憶プログラム（記憶手段、視聴情報記憶手段）
１３５ｅ    消去条件設定プログラム（記憶条件設定手段）
１３５ｆ    消去プログラム（消去手段）
１３５ｇ    電子番組表表示プログラム（電子番組表表示手段）
１３５ｈ    選択プログラム（選択手段）
１３５ｉ    報知プログラム（報知手段）
【図１】
0005233263.tif 000002
【図２】
0005233263.tif 000003
【図３】
0005233263.tif 000004
【図４】
0005233263.tif 000005
【図５】
0005233263.tif 000006
【図６】
0005233263.tif 000007
【図７】
0005233263.tif 000008
【図８】
0005233263.tif 000009
【図９】
0005233263.tif 000010
【図１０】
0005233263.tif 000011
【図１１】
0005233263.tif 000012
【図１２】
0005233263.tif 000013
【図１３】
0005233263.tif 000014
【図１４】
0005233263.tif 000015
【図１５】
0005233263.tif 000016
【図１６】
0005233263.tif 000017
【図１７】
0005233263.tif 000018
【図１８】
0005233263.tif 000019